(57)【要約】【課題】ヒンジ装置の機能とスライド装置の機能とをあわせ持つ連結装置並びにこの連結装置を用いた電子機器を提供すること。【解決手段】第一部材１と第二部材２とを連結する連結装置Ｒであって、前記第一部材１と前記第二部材２とに沿設状態に配設する連結基体３に、第一部材１若しくは第二部材２を回動自在に連結するヒンジ装置部Ｈを備えると共に、第二部材２若しくは第一部材１をスライド移動自在に連結するスライド装置部Ｓを備えて、この連結基体３の前記ヒンジ装置部Ｈを介して第一部材１に対し第二部材２を回動移動可能であって、且つ前記スライド装置部Ｓを介して第一部材１に対し第二部材２をスライド移動可能な構造とする。【選択図】図１
2008287486.tif 000002
【特許請求の範囲】
【請求項１】
第一部材と第二部材とを連結する連結装置であって、前記第一部材と前記第二部材とに沿設状態に配設する連結基体に、第一部材若しくは第二部材を回動自在に連結するヒンジ装置部を備えると共に、第二部材若しくは第一部材をスライド移動自在に連結するスライド装置部を備えて、この連結基体の前記ヒンジ装置部を介して第一部材に対し第二部材を回動移動可能であって、且つ前記スライド装置部を介して第一部材に対し第二部材をスライド移動可能な構造としたことを特徴とする連結装置。
【請求項２】
前記連結基体に備えた前記ヒンジ装置部は、前記第一部材と前記第二部材とが重合した閉塞状態から、第一部材若しくは第二部材を回動して開放状態とし得るようにこの第一部材若しくは第二部材を連結する構成とし、前記連結基体に備えた前記スライド装置部は、少なくとも第一部材と第二部材とが重合した閉塞状態から、第二部材若しくは第一部材を、第一部材若しくは第二部材に対してその重合面方向に略平行にスライド移動し得るようにこの第二部材若しくは第一部材を連結する構成としたことを特徴とする請求項１記載の連結装置。
【請求項３】
操作部を備えた本体部と、ディスプレイ部を備えた重合部とを、前記操作部を操作しないときにはこの操作部を覆うように重合配設し、この重合した状態から前記重合部を重合面に対して移動して操作部を露出させることができるように前記本体部と前記重合部とを連結する連結装置を有し、この連結装置には、前記本体部を前記第一部材若しくは前記第二部材とし、前記重合部を前記第二部材若しくは前記第一部材とした請求項１，２のいずれか１項に記載の連結装置を用いた構成とし、前記連結基体に備えた前記ヒンジ装置部を介して第一部材に対し第二部材を回動移動させることで前記本体部に対して前記重合部を起伏回動移動して本体部の前記操作部を露出させ、且つ前記連結基体に備えた前記スライド装置部を介して第一部材に対し第二部材をスライド移動させることで前記本体部に対して前記重合部をスライド移動して本体部の前記操作部を露出させることができるように構成したことを特徴とする連結装置を用いた電子機器。
【発明の詳細な説明】
【技術分野】
【０００１】
本発明は、例えば本体部と重合部とを連結して、互いに重合した閉塞状態から重合部を起伏回動させたりスライド移動させて開放状態とすることができる連結装置並びにこの連結装置を用いた携帯電話，携帯ゲーム機，モバイルなどの電子機器に関するものである。
【背景技術】
【０００２】
例えば、ノート型パソコンや開閉式の携帯ゲーム機或いは開閉式携帯電話は、操作部を備えた本体部に対してディスプレイ部を備えた開閉蓋部（重合部）がヒンジ装置を介して起伏開閉自在に設けられているが、従来、この種のヒンジ装置としては、重合部を本体部に伏した状態でこの重合部が勝手に回動して開いてしまうことがないように、閉塞状態を維持する重合保持機能（クリック係合機構）を備えたものが一般的である（例えば、特許文献１参照。）。
【０００３】
一方、従来から、例えば数字キーやファンクションキーを配列した操作部を本体部の上面側に設け、所定の表示がなされる液晶パネルなどのディスプレイ部を、前記本体部に重合する重合部の上側面に設け、この本体部と重合部とを前後方向に相対的に移動する構造のスライド式の携帯電話が実施されており、このようなスライド式の携帯電話には、本体部と重合部とをスライド自在に連結するスライド装置が用いられるが、従来のこの種スライド装置は、例えば重合部の左右にガイドレール部を設け、この左右のガイドレール部にスライド係合するスライド部を、本体部の左右に設け、ガイドレール部に対してスライド部がスライド移動することで、重合部と本体部とをスライド移動自在となるように構成している（例えば、特許文献２参照。）。
【０００４】
【特許文献１】特開２００５−７６７９０号公報
【特許文献２】特開２００４−１８６８５４号公報
【発明の開示】
【発明が解決しようとする課題】
【０００５】
本発明は、上記したヒンジ装置の機能とスライド装置の機能とをあわせ持つ非常に商品価値の高い連結装置並びにこの連結装置を用いた電子機器を提供するものである。
【課題を解決するための手段】
【０００６】
添付図面を参照して本発明の要旨を説明する。
【０００７】
第一部材１と第二部材２とを連結する連結装置Ｒであって、前記第一部材１と前記第二部材２とに沿設状態に配設する連結基体３に、第一部材１若しくは第二部材２を回動自在に連結するヒンジ装置部Ｈを備えると共に、第二部材２若しくは第一部材１をスライド移動自在に連結するスライド装置部Ｓを備えて、この連結基体３の前記ヒンジ装置部Ｈを介して第一部材１に対し第二部材２を回動移動可能であって、且つ前記スライド装置部Ｓを介して第一部材１に対し第二部材２をスライド移動可能な構造としたことを特徴とする連結装置に係るものである。
【０００８】
また、前記連結基体３に備えた前記ヒンジ装置部Ｈは、前記第一部材１と前記第二部材２とが重合した閉塞状態から、第一部材１若しくは第二部材２を回動して開放状態とし得るようにこの第一部材１若しくは第二部材２を連結する構成とし、前記連結基体３に備えた前記スライド装置部Ｓは、少なくとも第一部材１と第二部材２とが重合した閉塞状態から、第二部材２若しくは第一部材１を、第一部材１若しくは第二部材２に対してその重合面方向に略平行にスライド移動し得るようにこの第二部材２若しくは第一部材１を連結する構成としたことを特徴とする請求項１記載の連結装置に係るものである。
【０００９】
また、操作部４を備えた本体部と、ディスプレイ部５を備えた重合部とを、前記操作部４を操作しないときにはこの操作部４を覆うように重合配設し、この重合した状態から前記重合部を重合面に対して移動して操作部４を露出させることができるように前記本体部と前記重合部とを連結する連結装置Ｒを有し、この連結装置Ｒには、前記本体部を前記第一部材１若しくは前記第二部材２とし、前記重合部を前記第二部材２若しくは前記第一部材１とした請求項１，２のいずれか１項に記載の連結装置Ｒを用いた構成とし、前記連結基体３に備えた前記ヒンジ装置部Ｈを介して第一部材１に対し第二部材２を回動移動させることで前記本体部に対して前記重合部を起伏回動移動して本体部の前記操作部４を露出させ、且つ前記連結基体３に備えた前記スライド装置部Ｓを介して第一部材１に対し第二部材２をスライド移動させることで前記本体部に対して前記重合部をスライド移動して本体部の前記操作部４を露出させることができるように構成したことを特徴とする連結装置を用いた電子機器に係るものである。
【発明の効果】
【００１０】
本発明は上述のように構成したから、ヒンジ装置部を介して第一部材に対し第二部材を回動移動可能であると共に、スライド装置部を介して第一部材に対し第二部材をスライド移動可能であり、これにより例えば、例えば、操作部を備えた本体部と、ディスプレイ部を備えた重合部とを、前記操作部を操作しないときにはこの操作部を覆うように重合配設し、この重合した状態から前記重合部を重合面に対してスライド移動することで操作部を露出させることができるようにした携帯電話などの電子機器の、前記本体部（第一部材若しくは第二部材）と前記重合部（第二部材若しくは第一部材）とを連結する連結装置として本発明の連結装置を採用すれば、本体部に対して重合部をスライド移動させて操作部（第一の操作部）を露出させることができるだけでなく、本体部に対して重合部を回動して夫々の重合面を開いて露出させることもできるので、例えば、重合部の重合面に第二のディスプレイ部を備え、本体部の重合面に第二の操作部を備えた構成とすることで、本体部に重合部が重合した閉塞状態からヒンジ装置部を介して重合部を開くことにより第二のディスプレイ部と共にこの第二のディスプレイ部を使用した機能を操作するための第二の操作部が露出するという二つめの使用態様が選択できるような電子機器構成が実現可能となり、従って、例えば、重合部がスライドすることで本体部の数字キーなどの操作部が露出して電話機能などの操作に適する使用態様（表側ディスプレイ使用時）と、重合部が開放回動することで第二のディスプレイ部と、ワンセグ視聴やゲームの操作キーやキーボードなどの操作部（第二の操作部）が露出してこれらの操作に適する使用態様（裏側ディスプレイ使用時）とを切り替えて使用できるような電子器機を簡易に設計実現可能となる極めて実用性に秀れた画期的な連結装置となる。
【００１１】
また、請求項２記載の発明においては、前記作用効果を確実に発揮する本発明の連結装置を簡易に設計実現可能となる。
【００１２】
また、請求項３記載の発明においては、前記作用・効果を発揮する極めて実用性に秀れた画期的な連結装置を用いた電子機器となる。
【発明を実施するための最良の形態】
【００１３】
好適と考える本発明の実施形態（発明をどのように実施するか）を、図面に基づいて本発明の作用を示して簡単に説明する。
【００１４】
第一部材１と第二部材２とに沿設状態にして連結基体３を配設し、この連結基体３に備えたヒンジ装置部Ｈに第一部材１若しくは第二部材２を連結し、連結基体３に備えたスライド装置部Ｓに第二部材２若しくは第一部材１を連結する。
【００１５】
この本発明の連結装置Ｒによれば、ヒンジ装置部Ｈを介して第一部材１に対し第二部材２を回動移動可能であると共に、スライド装置部Ｓを介して第一部材１に対し第二部材２をスライド移動可能である。
【００１６】
従って、例えば、操作部４を備えた本体部と、ディスプレイ部５を備えた重合部とを、前記操作部４を操作しないときにはこの操作部４を覆うように重合配設し、この重合した状態から前記重合部を重合面に対して相対的にスライド移動することで操作部４を露出させることができるようにした携帯電話などの電子機器が従来から実施されているが、このような電子機器の前記本体部（第一部材１若しくは第二部材２）と前記重合部（第二部材２若しくは第一部材１）とを連結する連結装置Ｒとして本発明の連結装置Ｒを採用すると、本体部に対して重合部をスライド移動させて操作部４（第一の操作部４Ａ）を露出させることができるだけでなく、本体部に対して重合部を回動して本体部と重合部の夫々の重合面を開いて露出させることもできるので、例えば、重合部の重合面にも第二のディスプレイ部５Ｂを備えると共に本体部の重合面に第二の操作部４Ｂを備えた構成とすることで、本体部に重合部が重合した閉塞状態からヒンジ装置部Ｈを介して重合部を開くことにより第二のディスプレイ部５Ｂと共にこの第二のディスプレイ部５Ｂを使用した機能を操作するための第二の操作部４Ｂ（スライド操作時には現れない第二の操作部４Ｂ）が露出するなどの異なる使用態様が選択できるような電子機器構成が実現可能となる。
【００１７】
即ち、例えば、重合部がスライドすることで本体部の数字キーなどの操作部４（第一の操作部４Ａ）が露出して、電話機能などの操作に適する使用態様（表側ディスプレイ使用時）と、重合部が開放回動することで第二のディスプレイ部５Ｂと、ワンセグ視聴やゲームの操作キーやキーボードなどの操作部４（第二の操作部４Ｂ）が露出してこれらの操作に適する使用態様（裏側ディスプレイ使用時）とを切り替えて使用できるような電子器機も簡易に設計実現可能となる。
【００１８】
このように本発明の連結装置Ｒによれば、利用したい機能などに応じて二通りの使用態様を切り替えて使用することが可能となる実用性に秀れたスライド装置を用いた電子機器を実現できる。
【実施例】
【００１９】
本発明の具体的な実施例について図面に基づいて説明する。
【００２０】
本実施例は、図１，図３に示すような略長方形状を呈する第二部材２と略長方形状を呈する第一部材１とが開閉自在に重合してコンパクト化を図れるタイプの携帯電話（電子機器）に本発明を適用したもので、様々な表示がなされる液晶パネルなどの略長方形状のディスプレイ部５（第一ディスプレイ部５Ａ）を上側面に設けた第二部材２（重合部）と、この第二部材２の下側に配設される数字キーやファンクションキーを配列した操作部４（第一操作部４Ａ）を上側面に設けた第一部材１（本体部）とを連結装置Ｒにより開閉自在に連結した構成としている。
【００２１】
また、本実施例では、図４に示すように、第二部材２の下側面にもディスプレイ部５（第二ディスプレイ部５Ｂ）を設け、第一部材１の上側面には、その長手方向の一側寄りに前記第一操作部４Ａを設けて、この第一操作部４Ａと並設状態にして第一部材１の他側部にキーボード機能を果たす第二操作部４Ｂを設けた構成としている。
【００２２】
本実施例の連結装置Ｒは、前記第一部材１と前記第二部材２とに沿設状態に配設する連結基体３に、第二部材２を回動自在に連結するヒンジ装置部Ｈを備えると共に、第一部材１をスライド移動自在に連結するスライド装置部Ｓを備えて、この連結基体３の前記ヒンジ装置部Ｈを介して第一部材１に対し第二部材２を回動移動可能であって、且つ前記スライド装置部Ｓを介して第一部材１に対し第二部材２をスライド移動可能となる構造としている。
【００２３】
本実施例の連結基体３は、図２に示すように、横方向に長さを有し、この長さ方向と直交する方向にやや厚みを有する高さのない略凹文字形状に形成し、この連結基体３の上部両側の突設部３Ａ間に前記第二部材２の枢着用基部を配設して前記ヒンジ装置部Ｈにより枢着連結し得るように構成している。
【００２４】
本実施例のヒンジ装置部Ｈは、連結基体３の上部両側の突設部３Ａに夫々設けている。即ち、両側二箇所のヒンジ装置部Ｈで第二部材２の枢着用基部を安定的に枢着連結する構成としている。
【００２５】
このヒンジ装置部Ｈについて更に具体的に説明すると、図２，図５に示すように、回動軸部７に、重合部（第二部材２）の枢着用基部に固定し得る固定部６を回り止め状態に設けている。また、固定部６は、凸部６Ａを有するカム部６としても機能する構成としている。
【００２６】
一方、連結基体３の突設部３の対向内側面に夫々設けた取付凹部８に回り止め固定するケース体９内に前記カム部６の凸部６Ａと凹凸係合する凹部10Ａを有するカム係合部10を回り止め状態にしてスライド自在に収納し、この相対回動することで凹凸係合するカム部６，カム係合部10の少なくとも一方のこのカム係合部10をケース体９内に回動軸部７に沿って係合離反方向にスライド移動自在に設けると共に、このカム係合部10が係脱するに際して離反方向に移動した際、このカム係合部10を係合方向に付勢するコイルバネを採用した係合付勢機構11をケース体９内に収納している。
【００２７】
そして、前記回動軸部７を前記カム係合部10，係合付勢機構11を挿通させてケース体９内に挿通配設し、回動軸部７の先端部を前記固定部６（カム部６）によって抜け止め支承している。図中符号21は固定部６を回動軸部７の先端部に固定するために用いる固定ピンである。
【００２８】
従って、重合部（第二部材２）とケース体９とこのケース体９内のカム係合部10とは回動軸部７を軸に一体に回動する構成としている。
【００２９】
従って、連結基体３に対して重合部を回動すると、回動軸部７を軸にケース体９とカム係合部10とが回動し、回動軸部７に設けたカム部６に対してカム係合部10が係合付勢機構11に弾圧された状態で回動軸部７を軸に相対回動し、所定回動位置でこのカム係合部10とカム部６とが凹凸係合若しくは凹凸係合途中となり、前記係合付勢機構11によりこの係合が保持されるあるいは係合付勢されるヒンジ装置部Ｈを構成している。
【００３０】
また、このヒンジ装置部Ｈのカム部６とカム係合部10との凹凸係合位置は、本実施例では連結基体３を介して連結される前記第一部材１に対して第二部材２が全開した位置（例えば１７０度開放回動位置）と、閉じ位置を例えば１０度すぎた１８０度位相が異なる位置とで凹凸係合するようにしている。即ち、全開位置で凹凸係合して位置決めされ、閉じ位置では凹凸係合途中となって閉じ付勢が生じるようにしている。
【００３１】
また、本実施例の連結基体３は、その長手方向の一側面部（図１〜図４において手前側に位置する側面）にスライド装置部Ｓを設けて、このスライド装置部Ｓにより連結基体３の一側面部に前記本体部（第一部材１）の長手方向の一側面部（図４において奥側に位置する長手方向側面）を突き合わせ状態で連結し得るように構成している。
【００３２】
この本体部と連結基体３との連結は、双方の重合部分である互いの側面部に第二連結部13及び第一連結部12を付設し、この第一連結部12と第二連結部13とをスライド自在に抜け止め係合し、第一連結部12の長さ方向に第二連結部13を（相対的に）スライドさせることで、本体部に対して重合部をスライド自在に開閉できるように構成している。また、この本体部と重合部とをスライド自在に連結するスライド装置部Ｓは、本体部の操作部４（第一操作部４Ａ）を重合部で隠蔽した重合閉塞位置と、重合部を位置ズレするように前後方向へスライド移動させて操作部４（第一操作部４Ａ）を露出させたスライド開放位置とで位置決め保持（クリック係合）するように構成している。
【００３３】
このスライド装置部Ｓについて更に具体的に説明すると、長さ方向にガイド部14を有しガイドレールとして前記連結基体３に固定する第一連結部12と、この第一連結部12にスライド自在に抜け止め係合するスライド体として前記第一部材１（本体部）に固定し得る第二連結部13とから成り、前記第一連結部12のスライド面12Ａに沿ってスライドする係合突部15を形成したスライド板部16を前記第二連結部13に設け、この係合突部15が係合して前記第一連結部12に対する前記第二連結部13のスライド位置が係合保持される係合孔17を、前記第一連結部12のスライド面12Ａに形成した構成としている。
【００３４】
また、前記第一連結部12は、図２に示すような帯板状のガイドレールであって、板材の両側縁を内側へ折曲し（かぎ状あるいはカール状に折曲しても良く、また折曲先端部を内側に傾斜させてアギ状としても良い。）、この両側縁の長さ方向に形成された折り返し部をガイド部14とすると共に側方へ抜け止め機能を果たすようにし、平坦部をガイド面４Ａとするガイドレールに構成し、前記第二連結部13は、この第一連結部12の前記ガイド部14をガイドとしてこの第一連結部12にスライド自在に抜け止め係合する短尺板状のスライド体として構成している。
【００３５】
即ち、ガイドレールとして構成した第一連結部12は、両側縁に抜け止めガイド機能を有する折り返し状のガイド部14（抜け止め係合部となる）を有し、側方にスライド用開放部を有し、この第一連結部12の一端からガイド部14間に第二連結部13をスライド挿入してスライド自在に抜け止め係合するように構成している。
【００３６】
また、本実施例の第二連結部13は、両側縁を直角に折曲した後その折曲先端を外側へ水平折曲し、この水平折曲部を前記折り返し状のガイド部14にスライド自在に重合抜け止め係合することにより、第二連結部13の主体部が第一連結部12のスライド面12Ａより側方へ突出した状態となるように構成している。
【００３７】
この第二連結部13の主体部が盛り上がった状態となることで、この第二連結部13を第二部材２に固定するための固定部、例えばネジ止め用のタップの形成などが容易となると共にスライド板部16の介在スペースを確保できることとなる。
【００３８】
また、本実施例ではこの第二連結部13の重合側にスライド方向に係止状態に板状のスライド板部16を介在し、第二連結部13と共にこのスライド板部16が一緒に移動するように構成している。具体的には第二連結部13に形成した二ヶ所の係止部18（タップ部18）間にスライド板部16を配設して第二連結部13に固定しないものの第二連結部13と共に移動するように構成している。
【００３９】
そして、この板材で形成したスライド板部16の中央をスライド面12Ａ側へ折曲突出させて後述する介在補助板部19の開口部20に係合するように構成し、この開口部20に係合する湾曲部の中央を更に湾曲させて小突部を形成して、このスライド板部16に弾性のある係合突部15を形成し、このスライド板部16は前記第一連結部12と第二連結部13とをスライド自在に係合した際この第一連結部12と第二連結部13との間に介在して第二連結部13の（相対的な）スライド移動と共に第一連結部12のスライド面12Ａに前記係合突部15を弾圧当接しながらスライド移動するように構成している。
【００４０】
また、この係合突部15が係合して前記第一連結部12に対する前記第二連結部13のスライド位置を係合保持する係合孔17を前記第一連結部12のスライド面12Ａに形成している（図６，図７参照。）。本実施例では、この係合孔17をスライド面12Ａの間隔を置いた二箇所に形成し、この二箇所の係合孔17に係合突部15が係合した状態が、前記重合閉塞位置でのクリック係合状態と、前記スライド開放位置でのクリック係合状態となるように設定構成している。
【００４１】
即ち、本実施例では、前述のようにガイドレールとなる第一連結部12の両側縁の先端が内側へ折り返されたガイド部14間に第二連結部13の水平折曲縁を係合し、第一連結部12の開放部から盛り上がった第二連結部13の主体部にこの第二部材２に取り付けるためのタップ部18を設け、この第一連結部12の重合側にタップ部18を係止部18としてこの係止部18間に係止して係合突部15を有するスライド板部16を配設し、このスライド板部16の係合突部15を介在補助板部19の開口部20に係合して開口部20から係合突部15を突出させると共に、この係合と介在補助板部19の端部での折り返し片によってスライド板部16と介在補助板部19とを係止させて、この第二連結部13の重合側にスライド板部16と介在補助板部19とを重合配設させ、スライドに対して一体化したものを第一連結部１の端部からスライド挿入して抜け止め係合する構成としている。
【００４２】
従って、第一連結部12，第二連結部13も板材からのプレス加工で形成でき、スライド板部16も係合突部15，係合孔17もまた介在補助板部19もプレス加工によって形成できるため、部品点数も少なく製作も容易で、組み付けも前述のように例えば第一連結部12の一端からガイド部14間に、スライド板部16を裏側に配した第二連結部13と介在補助板部19とを重合してスライド挿入係合するだけで組み付けでき、コスト安にして製作も容易で量産性に極めて秀れることとなる。
【００４３】
また、本実施例では、スライド時には、スライド板部16の係合突部15が開口部20を介してスライド面12Ａにスライド当接するだけでなく、介在補助板部19もスライド面12Ａに当接するため介在補助板部19によるスライド抵抗も更に生じることとなる。それ故、係合突部15を強くスライド面12Ａに圧接しなくても介在補助板部19を介在させることによるスライド抵抗も生じるためフリーストップを実現できる十分なスライド抵抗を確保でき、しかも、係合突部15一点での圧接ではないため、スライド面12Ａが十分に滑らかでなくてもスライド抵抗が生じる部分が広くあるいは複数あるいは分散しているためフリーストップ実現のためトータルのスライド抵抗を大きくしてもスムーズにスライド移動でき、またそれ故係合突部15を強く圧接しなくてもよいから、係合突部15が係合孔17に係合した状態から離脱させてスライドさせるときも、強い力が必要とならず、この意味でもスムーズにスライド移動できることとなる構成としている。
【００４４】
次に、連結装置Ｒを上述のように構成した本実施例の作動を説明する。
【００４５】
第一部材１と第二部材２とが重合した状態では、操作部４（第一操作部４Ａ）が露出せず、ディスプレイ部５（第一ディスプレイ部５Ａ）だけが表出した閉塞状態となっている（図１参照。）。
【００４６】
第一ディスプレイ部５Ａで利用可能な機能を操作する際（縦画面機能使用時）は、図３に示すように、スライド装置部Ｓを介して第一部材１に対しこの第一部材１の前後方向（長さ方向の延長方向）へ第二部材２をスライド移動させると（図３中矢印のように第二連結部13に対して連結基体３（第一連結部12）をスライド移動させると）、縦画面方向とした第一ディスプレイ部５Ａの下方に、電話機能などを使用するための数字キーなどが配列された通常の操作部４（第一操作部４Ａ）が露出する。
【００４７】
また、第二ディスプレイ部５Ｂで利用可能な機能を操作する際（横画面機能使用時）は、図４に示すように、第一部材１と第二部材２とが重合した状態から、図４中矢印のようにヒンジ装置部Ｈを介して第一部材１に対し第二部材２を起動回動させると、第二部材２下側面の第二ディスプレイ部５Ｂと第一部材１上側面の第二操作部４Ｂとが露出し、横画面方向とした第二ディスプレイ部５Ｂの下方に、キーボード（第二操作部４Ｂ）が配置する。また、この際、前記第一操作部４Ａも露出するので、この第一操作部４Ａに、横画面機能の操作キーを割り当てるようにすることも可能である。
【００４８】
このように本実施例は、利用したい機能に応じて二通りの使用態様を切り替えて使用することが可能である。
【００４９】
即ち、例えば、略長方形状の第一ディスプレイ部５Ａの長さ方向の延長方向に数字キーなどの第一操作部４が露出して、縦長の第一ディスプレイ部５Ａの下方に第一操作部４Ａが位置することになる電話機能などの操作に適した使用態様（縦画面機能使用時）と、第二ディスプレイ部５Ｂと第二操作部４Ｂとが露出して横長の第二ディスプレイ部５Ｂの下方に第二操作部４Ｂが位置することになるキーボードタイピングなどの操作に適した使用態様（横画面機能使用時）とを、切り替えて使用できる携帯電話を簡易に設計実現可能となる。
【００５０】
尚、本発明は、本実施例に限られるものではなく、ヒンジ装置部Ｈやスライド装置部Ｓなど各構成要件の具体的構成は適宜設計し得るものである。
【図面の簡単な説明】
【００５１】
【図１】本実施例の組み付け状態の説明斜視図である。
【図２】本実施例の連結装置の分解斜視図である。
【図３】本実施例のスライド装置部を介して第二部材をスライド移動した状態を示す説明斜視図である。
【図４】本実施例のヒンジ装置部を介して第二部材を開放回動した状態を示す説明斜視図である。
【図５】本実施例のヒンジ装置部の開放回動時の部分拡大説明断面図である。
【図６】本実施例のスライド装置部のフリーストップ時の部分拡大説明断面図である。
【図７】本実施例のスライド装置部のクリック係合時の部分拡大説明断面図である。
【符号の説明】
【００５２】
１  第一部材
２  第二部材
３  連結基体
４  操作部
５  ディスプレイ部
Ｈ  ヒンジ装置部
Ｓ  スライド装置部
Ｒ  連結装置
【図１】
2008287486.tif 000003
【図２】
2008287486.tif 000004
【図３】
2008287486.tif 000005
【図４】
2008287486.tif 000006
【図５】
2008287486.tif 000007
【図６】
2008287486.tif 000008
【図７】
2008287486.tif 000009